(57)【要約】【課題】設定を容易に行うことができるタイムスイッチを提供する。【解決手段】タイムスイッチ１０は、負荷及び電源の電気的な接続をオン及びオフするスイッチ部１２と、スイッチ部１２がオンするオン時刻の設定、及び、スイッチ部１２がオフするオフ時刻の設定を受け付ける設定受付部１３とを備える。設定受付部１３は、所定の期間において実行される第１設定であって、所定の期間ごとに繰り返し実行される第１設定、及び、毎月の特定日において実行される第２設定を受け付け、さらに、第２設定の受け付けでは、毎月の特定日を示す情報を受け付ける。【選択図】図２
2020197464.tif 000002
【特許請求の範囲】
【請求項１】
負荷及び電源の電気的な接続をオン及びオフするスイッチ部と、
前記スイッチ部がオンするオン時刻の設定、及び、前記スイッチ部がオフするオフ時刻の設定を受け付ける設定受付部とを備え、
前記設定受付部は、所定の期間において実行される第１設定であって、前記所定の期間ごとに繰り返し実行される第１設定、及び、毎月の特定日において実行される第２設定を受け付け、さらに、前記第２設定の受け付けでは、前記毎月の前記特定日を示す情報を受け付ける
タイムスイッチ。
【請求項２】
前記特定日は、月ごとの末日である
請求項１に記載のタイムスイッチ。
【請求項３】
前記特定日は、月ごとの特定回数目の特定曜日である
請求項１に記載のタイムスイッチ。
【請求項４】
前記特定日は、月ごとの最終の特定曜日である
請求項１に記載のタイムスイッチ。
【請求項５】
前記所定の期間は、１週間であり、
前記設定受付部は、曜日ごとに当該曜日に対応した操作部を有し、前記特定回数目の前記特定曜日の設定において、前記特定曜日に対応した前記操作部における、前記特定回数目に対応した回数の操作を受け付ける
請求項３に記載のタイムスイッチ。
【請求項６】
前記所定の期間は、１週間であり、
前記設定受付部は、曜日ごとに当該曜日に対応した操作部を有し、前記最終の前記特定曜日の設定において、前記特定曜日に対応した前記操作部における所定回数の操作を受け付ける
請求項４に記載のタイムスイッチ。
【請求項７】
前記設定受付部は、さらに、前記第２設定において設定された動作を実行する特定年の設定を受け付ける
請求項１〜６のいずれか１項に記載のタイムスイッチ。
【請求項８】
スイッチ部がオンするオン時刻の設定、及び、前記スイッチ部がオフするオフ時刻の設定を受け付けるタイムスイッチの設定方法であって、
所定の期間ごとに繰り返し実行される第１設定を受け付ける第１設定受付ステップと、
毎月の特定日において実行される第２設定を受け付ける第２設定受付ステップとを含み、
前記第２設定受付ステップでは、前記毎月の前記特定日を示す情報を受け付ける
設定方法。
【発明の詳細な説明】
【技術分野】
【０００１】
本発明は、ユーザによって設定されたタイムスケジュールにしたがって負荷をオン及びオフするタイムスイッチ、及び、設定方法に関する。
【背景技術】
【０００２】
タイムスイッチは、ユーザによって設定されたタイムスケジュールにしたがって負荷をオン及びオフする装置である。このようなタイムスイッチとして、特許文献１には、当該タイムスイッチに設けられた動作パターン選択手段によって、負荷をどの動作パターンで制御するかを選択できるタイムスイッチが開示されている。
【先行技術文献】
【特許文献】
【０００３】
【特許文献１】特開平０９−２６９３８７号公報
【発明の概要】
【発明が解決しようとする課題】
【０００４】
ところで、タイムスイッチとしては、設定が容易に行えることが望まれる。
【０００５】
そこで、本発明は、設定を容易に行うことができるタイムスイッチを提供する。
【課題を解決するための手段】
【０００６】
本発明の一態様に係るタイムスイッチは、負荷及び電源の電気的な接続をオン及びオフするスイッチ部と、前記スイッチ部がオンするオン時刻の設定、及び、前記スイッチ部がオフするオフ時刻の設定を受け付ける設定受付部とを備え、前記設定受付部は、所定の期間において実行される第１設定であって、前記所定の期間ごとに繰り返し実行される第１設定、及び、毎月の特定日において実行される第２設定を受け付け、さらに、前記第２設定の受け付けでは、前記毎月の前記特定日を示す情報を受け付ける。
【０００７】
また、本発明の一態様に係る設定方法は、スイッチ部がオンするオン時刻の設定、及び、前記スイッチ部がオフするオフ時刻の設定を受け付けるタイムスイッチの設定方法であって、所定の期間ごとに繰り返し実行される第１設定を受け付ける第１設定受付ステップと、毎月の特定日において実行される第２設定を受け付ける第２設定受付ステップとを含み、前記第２設定受付ステップでは、前記毎月の前記特定日を示す情報を受け付ける。
【発明の効果】
【０００８】
本発明の一態様によれば、設定を容易に行うことができるタイムスイッチ等が実現される。
【図面の簡単な説明】
【０００９】
【図１】図１は、実施の形態に係るタイムスイッチの外観斜視図である。
【図２】図２は、実施の形態に係るタイムスイッチの機能構成を示すブロック図である。
【図３】図３は、実施の形態に係るタイムスイッチの基本動作のフローチャートである。
【図４Ａ】図４Ａは、週単位で設定された設定情報を示す図である。
【図４Ｂ】図４Ｂは、特定日に設定された設定情報を示す図である。
【図５】図５は、実施の形態に係る制御ステップの動作のフローチャートである。
【図６Ａ】図６Ａは、実施の形態に係るタイムスイッチの特定日を設定する動作の第一例を示すフローチャートである。
【図６Ｂ】図６Ｂは、実施の形態に係る表示部に表示される設定画面の第一例を示す図である。
【図７Ａ】図７Ａは、実施の形態に係るタイムスイッチの特定日を設定する動作の第二例を示すフローチャートである。
【図７Ｂ】図７Ｂは、実施の形態に係る表示部に表示される設定画面の第二例を示す図である。
【図８Ａ】図８Ａは、実施の形態に係るタイムスイッチの特定日を設定する動作の第三例を示すフローチャートである。
【図８Ｂ】図８Ｂは、実施の形態に係る表示部に表示される設定画面の第三例を示す図である。
【図９Ａ】図９Ａは、実施の形態に係るタイムスイッチの特定日を設定する動作の第四例を示すフローチャートである。
【図９Ｂ】図９Ｂは、実施の形態に係る表示部に表示される設定画面の第四例を示す図である。
【図１０Ａ】図１０Ａは、実施の形態に係るタイムスイッチの特定日を設定する動作の第五例を示すフローチャートである。
【図１０Ｂ】図１０Ｂは、実施の形態に係る表示部に表示される設定画面の第五例を示す図である。
【図１１Ａ】図１１Ａは、実施の形態に係るタイムスイッチの特定日を設定する動作の第六例を示すフローチャートである。
【図１１Ｂ】図１１Ｂは、実施の形態に係る表示部に表示される設定画面の第六例を示す図である。
【図１２Ａ】図１２Ａは、実施の形態に係るタイムスイッチの特定日を設定する動作の第七例を示すフローチャートである。
【図１２Ｂ】図１２Ｂは、実施の形態に係る表示部に表示される設定画面の第七例を示す図である。
【図１３Ａ】図１３Ａは、実施の形態に係るタイムスイッチの特定日を設定する動作の第八例を示すフローチャートである。
【図１３Ｂ】図１３Ｂは、実施の形態に係る表示部に表示される設定画面の第八例を示す図である。
【図１４Ａ】図１４Ａは、実施の形態に係るタイムスイッチの特定日を設定する動作の第九例を示すフローチャートである。
【図１４Ｂ】図１４Ｂは、実施の形態に係る表示部に表示される設定画面の第九例を示す図である。
【図１５Ａ】図１５Ａは、実施の形態に係るタイムスイッチの特定日を設定する動作の第十例を示すフローチャートである。
【図１５Ｂ】図１５Ｂは、実施の形態に係る表示部に表示される設定画面の第十例を示す図である。
【図１６】図１６は、実施の形態に係るタイムスイッチの特定日を設定する動作の第十一例を示すフローチャートである。
【図１７】図１７は、実施の形態に係るタイムスイッチの特定回数目の特定曜日を設定する動作を説明するための図である。
【発明を実施するための形態】
【００１０】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
また、本明細書において、数値、及び、数値範囲は、厳格な意味のみを表す表現ではなく、実質的に同等な範囲、例えば数％程度の差異をも含むことを意味する表現である。
【００１３】
（実施の形態）
［１．構成］
まず、本実施の形態に係るタイムスイッチの構成について説明する。図１は、本実施の形態に係るタイムスイッチ１０の外観斜視図である。図２は、本実施の形態に係るタイムスイッチ１０の機能構成を示すブロック図である。
【００１４】
タイムスイッチ１０は、設定受付部１３を通じて設定されたタイムスケジュールにしたがって、端子部１１に接続された負荷（図示しない）及び電源（図示しない）の電気的な接続をオン及びオフする（以下、単に「負荷をオン（オフ）する」とも記載する）装置である。なお、オン及びオフすることを開閉するとも記載する。
【００１５】
タイムスイッチ１０は、端子部１１と、スイッチ部１２と、設定受付部１３と、表示部１４と、記憶部１５と、制御部１６と、計時部１７と、拡張端子部１８とを備える。
【００１６】
端子部１１には、負荷及び電源が接続される。負荷は、例えば、街路灯、照明、及び、看板などである。端子部１１は、例えば、ネジによって負荷及び電源を固定する構造を有する。端子部１１の回路構成については特に限定されない。端子部１１の回路構成は、負荷が接続される端子間に電源の電圧が印加される有電圧出力構成であってもよいし、負荷が接続される端子間に電源の電圧が印加されない無電圧出力構成であってもよい。端子部１１には、複数の負荷が取り付けられる場合もある。
【００１７】
スイッチ部１２は、端子部に接続された負荷及び電源の電気的な接続をオン及びオフする開閉部である。スイッチ部１２は、例えば、リレー素子、及び、リレー素子の駆動回路によって実現されるが、パワートランジスタ、及び、パワートランジスタの駆動回路によって実現されてもよい。スイッチ部１２の接点構成は、特に限定されない。スイッチ部１２は、ｃ接点構成（つまり、単極双投）であってもよいし、ａ接点構成（つまり、単極単投）であってもよい。なお、端子部１１に複数の負荷が取り付けられる場合、タイムスイッチ１０は、複数の負荷に対応して複数のスイッチ部１２を備える場合がある。
【００１８】
設定受付部１３は、タイムスイッチ１０に関連する各種設定を受け付けるユーザインターフェースである。設定受付部１３は、具体的には、スイッチ部１２がオンするオン時刻の設定、及び、スイッチ部１２がオフするオフ時刻の設定（スイッチ部１２の動作に関する設定の一例）を受け付ける。設定受付部１３は、例えば、ハードウェアキー（ハードウェアボタン）、及び、スライドスイッチなどによって実現されるが、タッチパネルなどによって実現されてもよい。本実施の形態では、設定受付部１３は、複数のハードウェアボタン（以降において、ボタンとも記載する）を含んで実現される。また、設定受付部１３は、音声に基づく情報により各種設定を受け付けてもよい。
【００１９】
図１に示すように、本実施の形態では、設定受付部１３は、年月日及び時刻（時分秒）を設定するための日時ボタン１３ａ、曜日を設定するための曜日ボタン１３ｂ、及び、記憶部１５に記憶された設定情報をリセットするためのリセットボタン１３ｃを有する。曜日ボタン１３ｂは、曜日ごとに当該曜日に対応したボタンを有する。つまり、曜日ボタン１３ｂは、月曜日〜日曜日に対応する７つのボタンを有する。なお、曜日ボタン１３ｂは、操作部の一例である。
【００２０】
表示部１４は、ユーザが設定内容などを確認するための情報、及び、ユーザが設定を行うための情報（設定画面）を表示する表示パネルである。表示部１４は、例えば、ユーザから設定を行うための操作を設定受付部１３が受け付けると、当該設定を行うための情報を表示する。表示部１４は、例えば、液晶パネルによって実現されるが、有機ＥＬパネルなどのその他の表示パネルによって実現されてもよい。また、表示部１４は、バックライトを備えていてもよい。なお、ユーザが設定を行うための情報（設定画面）の詳細は、後述する。
【００２１】
記憶部１５は、設定受付部１３によって受け付けられた各種設定が設定情報として記憶される記憶装置である。また、記憶部１５は、カレンダー情報を記憶する。カレンダー情報は、年月日及び曜日の情報を含む。記憶部１５は、例えば、半導体メモリによって実現される。
【００２２】
制御部１６は、スイッチ部１２のオン及びオフ（つまり、負荷及び電源の電気的な接続のオン及びオフ）を制御する制御装置である。制御部１６は、具体的には、記憶部１５に記憶された設定情報に基づいてスイッチ部１２に制御信号を送信する。
【００２３】
制御部１６は、例えば、マイクロコンピュータまたはプロセッサなどによって実現される。なお、記憶部１５は、制御部１６に内蔵されてもよい。記憶部１５は、例えば、マイクロコンピュータに内蔵される不揮発性メモリであってもよい。
【００２４】
計時部１７は、現在の日時を計測するタイマ装置である。計時部１７は、例えば、リアルタイムクロックによって実現される。
【００２５】
拡張端子部１８は、取得部の一例であり、割り込み信号、または、同期信号などを取得するための、端子部１１と異なる別の端子部である。
【００２６】
拡張端子部１８には、例えば、割り込み端子が含まれる。制御部１６は、割り込み端子を介してタイムスイッチ１０の外部から割り込み信号を取得すると、スイッチ部１２を強制的にオンする。言い換えれば、スイッチ部１２は、取得された割り込み信号に基づいて強制的にオンする。なお、スイッチ部１２は、取得された割り込み信号に基づいて強制的にオフしてもよい。
【００２７】
また、拡張端子部１８には、例えば、同期端子が含まれる。制御部１６は、同期端子を介してタイムスイッチ１０の外部から同期信号を取得すると、同期信号に基づいてスイッチ部１２をオンまたはオフする。この結果、タイムスイッチ１０は、取得された同期信号に基づいて、同期信号を取得した他のタイムスイッチと同期する。つまり、タイムスイッチ１０を含む複数のタイムスイッチのオン時刻またはオフ時刻が揃う。
【００２８】
［２．動作］
次に、タイムスイッチ１０の基本動作について、図３〜図５を参照しながら説明する。図３は、タイムスイッチ１０の基本動作のフローチャートである。なお、以下では、タイムスイッチ１０が週間式である例について説明する。つまり、タイムスイッチ１０は、オン時刻の設定、及び、オフ時刻の設定を曜日ごとに設定できる。
【００２９】
図３に示すように、まず、設定受付部１３は、初期設定を受け付ける（Ｓ１１）。初期設定には、現在時刻の設定、及び、タイムスイッチ１０の使用地域の設定などが含まれる。
【００３０】
次に、設定受付部１３は、スイッチ部１２がオンするオン時刻の設定を受け付ける（Ｓ１２）。設定受付部１３によってオン時刻の設定が受け付けられると、オン時刻の設定情報が記憶部１５に記憶される。
【００３１】
オン時刻の設定の選択肢には、日の入設定、日の出設定、及び、定時設定の３つが含まれる。日の入設定は、日の入時刻にスイッチ部１２がオンする設定である。日の出設定は、日の出時刻にスイッチ部１２がオンする設定である。定時設定は、ユーザ指定の時刻にスイッチ部１２がオンする設定である。
【００３２】
なお、ステップＳ１２において、設定受付部１３は、例えば、曜日ごとのオン時刻の設定を受け付ける。
【００３３】
次に、設定受付部１３は、スイッチ部１２がオフするオフ時刻の設定を受け付ける（Ｓ１３）。設定受付部１３によってオフ時刻の設定が受け付けられると、オフ時刻の設定情報が記憶部１５に記憶される。
【００３４】
オフ時刻の設定の選択肢には、日の入設定、日の出設定、及び、定時設定の３つが含まれる。日の入設定は、日の入時刻にスイッチ部１２がオフする設定である。日の出設定は、日の出時刻にスイッチ部１２がオフする設定である。定時設定は、ユーザ指定の時刻にスイッチ部１２がオフする設定である。
【００３５】
なお、ユーザが所定の範囲で日の入時刻、及び、日の出時刻を調整することができる場合、オン時刻の設定及びオフ時刻の設定として日の入設定又は日の出設定が選択されてもよい。所定の範囲は、例えば、±３０分であるが、±５時間などであってもよい。以下、このような調整はオフセット設定とも記載される。なお、オフセット設定は、設定受付部１３が受け付ける。
【００３６】
このようなオフセット設定を利用すれば、ユーザは、オン時刻の設定及びオフ時刻の設定の両方を日の入設定にすることで、日の入時刻付近の一定期間の間、スイッチ部１２をオンすることができる。また、ユーザは、オン時刻の設定及びオフ時刻の設定の両方を日の出設定にすることで、日の出時刻付近の一定期間の間、スイッチ部１２をオンすることができる。
【００３７】
なお、例えば、上記のようなオフセット設定が行えない場合、オン時刻の設定が日の入設定であるときに、オフ時刻の設定を日の入設定にすることはできなくてもよい。同様に、オン時刻の設定が日の出設定であるときに、オフ時刻の設定を日の出設定にすることはできなくてもよい。
【００３８】
なお、ステップＳ１３において、設定受付部１３は、例えば、曜日ごとのオフ時刻の設定を受け付ける。
【００３９】
ここで、ステップＳ１２及びＳ１３において設定された設定情報について、図４Ａを参照しながら説明する。図４Ａは、週単位で設定された設定情報を示す図である。図４Ａに示すプログラムＰ１及びＰ２は、オン時刻及びオフ時刻の情報を含む。また、プログラムＰ１及びＰ２は、互いにオン時刻及びオフ時刻の少なくとも一方が異なる。
【００４０】
図４Ａに示すように、ステップＳ１２及びＳ１３において、曜日ごとにプログラムが設定される。制御部１６は、図４Ａに示す設定情報に基づく動作を１週間ごとに繰り返し実行する。つまり、制御部１６は、月曜日〜金曜日では、プログラムＰ１に基づいてスイッチ部１２を制御し、土曜日及び日曜日では、プログラムＰ２に基づいてスイッチ部１２を制御する。制御部１６は、例えば、毎週月曜日において、プログラムＰ１に基づいて、スイッチ部１２を制御する。なお、１週間は、所定の期間の一例である。
【００４１】
これにより、日ごとにオン時刻及びオフ時刻を設定している場合に比べて、タイムスイッチ１０の設定に要する時間を短縮することができる。なお、以下において、図４Ａに示す設定情報を、通常設定情報とも記載する。また、図４Ａに示す設定情報は、第１設定の一例である。
【００４２】
なお、上記のステップＳ１２及びＳ１３は、第１設定受付ステップの一例である。
【００４３】
図３を再び参照して、次に、設定受付部１３は、特定日の設定を受け付ける（Ｓ１４）。具体的には、設定受付部１３は、毎月の特定日を特定するための情報と、当該毎月の特定日におけるオン時刻及びオフ時刻の設定とを受け付ける。設定受付部１３によって毎月の特定日の設定が受け付けられると、毎月の特定日を特定するための情報と、オン時刻及びオフ時刻とを含む設定情報が記憶部１５に記憶される。特定日は、通常設定情報以外の情報（以下に示す特定設定情報）に基づいて、スイッチ部１２を制御する日である。つまり、特定日には、通常設定情報に示されるオン時刻及びオフ時刻の少なくとも１つが異なる時刻によりスイッチ部１２が制御される。なお、ステップＳ１５の動作の詳細は、後述する。
【００４４】
ここで、ステップＳ１４において設定された設定情報について、図４Ｂを参照しながら説明する。図４Ｂは、毎月の特定日に設定された設定情報を示す図である。図４Ｂに示すプログラムＳＰ１は、オン時刻及びオフ時刻の情報を含む。
【００４５】
図４Ｂでは、毎月の特定日を示す情報として、「毎月の末日」が設定され、オン時刻及びオフ時刻として「プログラムＳＰ１」が設定されている例を示している。プログラムＳＰ１は、特定日に実行されるプログラムであり、プログラムＰ１及びＰ２の双方と互いにオン時刻及びオフ時刻の少なくとも一方の情報が異なる。プログラムＳＰ１は、特別なプログラムの一例である。
【００４６】
制御部１６は、図４Ｂに示す設定情報に基づく動作を、特定日のみで実行する。つまり、制御部１６は、特定日においてのみ、プログラムＳＰ１に基づいてスイッチ部１２を制御する。
【００４７】
なお、毎月の特定日は、毎月のそれぞれにおける所定の日又は所定の曜日等である。上記では、毎月の特定日は、毎月の末日である例について説明したが、これに限定されず、毎月の特定回数目の特定曜日等であってもよいし、その他であってもよい。
【００４８】
これにより、毎月の特定日ごとにオン時刻及びオフ時刻を設定している場合に比べて、タイムスイッチ１０の設定に要する時間を短縮することができる。なお、以下において、図４Ｂに示す設定情報を、特定設定情報とも記載する。また、図４Ｂに示す設定情報は、第２設定の一例である。
【００４９】
なお、上記のステップＳ１４は、第２設定受付ステップの一例である。
【００５０】
図３を再び参照して、次に、制御部１６は、記憶部１５に記憶されている設定情報に基づいてスイッチ部１２のオン及びオフを制御する（Ｓ１５）。制御部１６は、具体的には、計時部１７によって計測される現在の時刻がステップＳ１２において設定されたオン時刻になると、スイッチ部１２をオンする。また、制御部１６は、計時部１７によって計測される現在の時刻がステップＳ１３において設定されたオフ時刻になると、スイッチ部１２をオフする。また、制御部１６は、特定日においては、特定日に対応したオン時刻になると、スイッチ部１２をオンし、特定日に対応したオフ時刻になるとスイッチ部１２をオフにする。なお、ステップＳ１５は、制御ステップの一例である。
【００５１】
ここで、制御ステップについて、さらに図５を参照しながら説明する。図５は、本実施の形態に係る制御ステップの動作のフローチャートである。具体的には、図５に示すフローチャートは、図３に示すステップＳ１５の詳細な動作の一例を示す図である。
【００５２】
図５に示すように、制御部１６は、まず本日を特定するための情報を取得する（Ｓ２１）。制御部１６は、例えば、記憶部１５に記憶されているカレンダー情報に基づいて、本日の年月日及び曜日の少なくとも一方を取得する。なお、曜日は、例えば、「第１月曜日」などのように、本日の曜日、及び、当該本日の曜日がその月の何回目の当該曜日であるかを示す情報を含んでいてもよい。
【００５３】
次に、制御部１６は、本日が特定日であるか否かを判定する（Ｓ２２）。制御部１６は、記憶部１５に記憶されている特定設定情報（図４Ｂ参照）が示す毎月の特定日の情報と、ステップＳ２１で取得した本日を特定するための情報とに基づいて、本日がその月の特定日であるか否かを判定する。制御部１６は、例えば、上記２つの情報が一致すると、本日が特定日であると判定する。
【００５４】
制御部１６は、本日が特定日であると判定する（Ｓ２２でＹｅｓ）と、特定日に対応するプログラム（例えば、図４Ｂに示すプログラムＳＰ１）で動作する（Ｓ２３）。具体的には、制御部１６は、特定日に対応するプログラムＳＰ１でスイッチ部１２を制御する。言い換えると、制御部１６は、本日が特定日であると、特定設定情報に基づく制御を、通常設定情報に基づく制御より優先して実行する。このように、特定日においては、通常設定情報に基づく制御は、実行されない。
【００５５】
また、制御部１６は、本日が特定日ではないと判定する（Ｓ２２でＮｏ）と、本日の曜日に対応するプログラム（例えば、図４Ａ示すプログラムＰ１又はＰ２）で動作する（Ｓ２４）。具体的には、制御部１６は、本日の曜日に対応するプログラムでスイッチ部１２を制御する。このように、特定日以外の日においては、特別設定情報に基づく制御は、実行されない。
【００５６】
ここで、特定日の設定について、図６Ａ〜図１７を参照しながら説明する。なお、以下で説明する内容は、図３に示すステップＳ１４において、実行される。まずは、毎月の所定の日（特定日の一例）を特別なプログラムＳＰ１に設定する例について説明する。図６Ａは、本実施の形態に係るタイムスイッチ１０の特定日を設定する動作の第一例を示すフローチャートである。図６Ｂは、本実施の形態に係る表示部１４に表示される設定画面の第一例を示す図である。
【００５７】
図６Ｂは、具体的には、図６Ａに示すフローチャートにおいて受け付けた設定が表示された設定画面を示す。また、図６Ｂに示す「年月日」は、特定日の日付を特定するための情報であり、「回目」は、その月の何回目の特定曜日であるかを特定するための情報であり、「曜日」は、特定日の曜日を特定するための情報である。また、「プログラム」は、特定日におけるオン時刻及びオフ時刻を特定するための情報である。なお、プログラムＳＰ１におけるオン時刻及びオフ時刻は、予め設定されているとする。
【００５８】
図６Ａに示すように、設定受付部１３は、所定の日の設定を受け付ける（Ｓ３１）。設定受付部１３は、例えば、図６Ｂに示すように、「年月日」のうち「日」の設定を受け付ける。図６Ｂでは、所定の日として「２４」が設定された例を示している。なお、「２４」は、毎月の特定日を示す情報の一例である。
【００５９】
次に、設定受付部１３は、特定日におけるオン時刻及びオフ時刻を示す情報として、プログラムの設定を受け付ける（Ｓ３２）。設定受付部１３は、例えば、図６Ｂに示すように、予め設定されているプログラムから特定日に実行するプログラムＳＰ１の設定を受け付ける。なお、ステップＳ３２において、設定受付部１３は、特定日に実行するオン時刻及びオフ時刻の設定を受け付けてもよい。
【００６０】
これにより、制御部１６は、ユーザによる１回の設定操作により、毎月の所定の日（例えば、毎月２４日）において、プログラムＳＰ１に基づいてスイッチ部１２を制御することができる。
【００６１】
次に、毎月の末日（特定日の一例）を特別なプログラムＳＰ１に設定する例について説明する。図７Ａは、本実施の形態に係るタイムスイッチ１０の特定日を設定する動作の第二例を示すフローチャートである。図７Ｂは、本実施の形態に係る表示部１４に表示される設定画面の第二例を示す図である。
【００６２】
図７Ａに示すように、設定受付部１３は、末日の設定を受け付ける（Ｓ４１）。設定受付部１３は、例えば、図７Ｂに示すように、「年月日」のうち「日」の設定を受け付ける。図７Ｂでは、末日を示す情報として「Ｌ」が設定された例を示している。なお、「Ｌ」は、毎月の特定日を示す情報の一例である。
【００６３】
次に、設定受付部１３は、プログラムの設定を受け付ける（Ｓ４２）。ステップＳ４２の処理は、ステップＳ３２と同様であり、説明を省略する。
【００６４】
これにより、制御部１６は、ユーザによる１回の設定操作により、毎月の末日（月末）において、プログラムＳＰ１に基づいてスイッチ部１２を制御することができる。
【００６５】
次に、毎月の特定回数目の特定曜日（特定日の一例）を特別なプログラムＳＰ１に設定する例について説明する。図８Ａは、本実施の形態に係るタイムスイッチ１０の特定日を設定する動作の第三例を示すフローチャートである。図８Ｂは、本実施の形態に係る表示部１４に表示される設定画面の第三例を示す図である。
【００６６】
図８Ａに示すように、設定受付部１３は、特定回数、及び、特定曜日の設定を受け付ける（Ｓ５１）。設定受付部１３は、例えば、図８Ｂに示すように、特定回数を示す「回目」及び特定曜日を示す「曜日」の設定を受け付ける。図８Ｂでは、特定回数として「２」が設定され、かつ、曜日として「水」が設定された例を示している。なお、「２」及び「水」は、毎月の特定日を示す情報の一例である。
【００６７】
次に、設定受付部１３は、プログラムの設定を受け付ける（Ｓ５２）。ステップＳ５２の処理は、ステップＳ３２と同様であり、説明を省略する。
【００６８】
これにより、制御部１６は、ユーザによる１回の設定操作により、毎月の特定回数目の特定曜日（例えば、毎月の第２水曜日）において、プログラムＳＰ１に基づいてスイッチ部１２を制御することができる。
【００６９】
次に、毎月の最終の特定曜日（特定日の一例）を特別なプログラムＳＰ１に設定する例について説明する。図９Ａは、本実施の形態に係るタイムスイッチ１０の特定日を設定する動作の第四例を示すフローチャートである。図９Ｂは、本実施の形態に係る表示部１４に表示される設定画面の第四例を示す図である。
【００７０】
図９Ａに示すように、設定受付部１３は、最終の特定曜日の設定を受け付ける（Ｓ６１）。設定受付部１３は、例えば、図９Ｂに示すように、「回目」及び「曜日」の設定を受け付ける。図９Ｂでは、最終を示す情報として「Ｌ」が設定され、かつ、曜日として「水」が設定された例を示している。なお、「Ｌ」及び「水」は、毎月の特定日を示す情報の一例である。
【００７１】
次に、設定受付部１３は、プログラムの設定を受け付ける（Ｓ６２）。ステップＳ６２の処理は、ステップＳ３２と同様であり、説明を省略する。
【００７２】
これにより、制御部１６は、ユーザによる１回の設定操作により、毎月の最終の特定曜日（例えば、毎月の最終の水曜日）において、プログラムＳＰ１に基づいてスイッチ部１２を制御することができる。
【００７３】
上記の図６Ａ〜図９Ｂで示したように、例えば、「年月日」のうち「年」及び「年」の情報が設定されないことで、毎年の毎月の特定日において、特別なプログラムＳＰ１を実行することができる。しかしながら、負荷の種類等によっては、毎年ではなく特定年においてのみ、プログラムＳＰ１を実行したい場合がある。そこで、以下においては、特定年においてのみ、プログラムＳＰ１を実行するための設定について、図１０Ａ〜図１３Ｂを参照しながら説明する。
【００７４】
まずは、特定年の毎月の所定の日（特定日の一例）を特別なプログラムＳＰ１に設定する例について説明する。図１０Ａは、本実施の形態に係るタイムスイッチ１０の特定日を設定する動作の第五例を示すフローチャートである。図１０Ｂは、本実施の形態に係る表示部１４に表示される設定画面の第五例を示す図である。
【００７５】
図１０Ａに示すように、設定受付部１３は、特定年及び所定の日の設定を受け付ける（Ｓ７１）。設定受付部１３は、例えば、図１０Ｂに示すように、「年月日」のうち「年」及び「日」の設定を受け付ける。図１０Ｂでは、特定年として「１９」が設定され、かつ、所定の日として「２４」が設定された例を示している。なお、「１９」及び「２４」は、毎月の特定日を示す情報の一例である。
【００７６】
次に、設定受付部１３は、プログラムの設定を受け付ける（Ｓ７２）。ステップＳ７２の処理は、ステップＳ３２と同様であり、説明を省略する。
【００７７】
これにより、制御部１６は、ユーザによる１回の設定操作により、特定年の毎月の所定の日（例えば、２０１９年の毎月２４日）において、プログラムＳＰ１に基づいてスイッチ部１２を制御することができる。
【００７８】
次に、特定年の毎月の末日（特定日の一例）を特別なプログラムＳＰ１に設定する例について説明する。図１１Ａは、本実施の形態に係るタイムスイッチ１０の特定日を設定する動作の第六例を示すフローチャートである。図１１Ｂは、本実施の形態に係る表示部１４に表示される設定画面の第六例を示す図である。
【００７９】
図１１Ａに示すように、設定受付部１３は、特定年及び末日の設定を受け付ける（Ｓ８１）。設定受付部１３は、例えば、図１１Ｂに示すように、「年月日」のうち「年」及び「日」の設定を受け付ける。図１１Ｂでは、特定年として「１９」が設定され、かつ、末日を示す情報として「Ｌ」が設定された例を示している。なお、「１９」及び「Ｌ」は、毎月の特定日を示す情報の一例である。
【００８０】
次に、設定受付部１３は、プログラムの設定を受け付ける（Ｓ８２）。ステップＳ８２の処理は、ステップＳ３２と同様であり、説明を省略する。
【００８１】
これにより、制御部１６は、ユーザによる１回の設定操作により、特定年の毎月の末日（例えば、２０１９年の毎月の末日）において、プログラムＳＰ１に基づいてスイッチ部１２を制御することができる。
【００８２】
次に、特定年の毎月の特定回数目の特定曜日（特定日の一例）を特別なプログラムＳＰ１に設定する例について説明する。図１２Ａは、本実施の形態に係るタイムスイッチ１０の特定日を設定する動作の第七例を示すフローチャートである。図１２Ｂは、本実施の形態に係る表示部１４に表示される設定画面の第七例を示す図である。
【００８３】
図１２Ａに示すように、設定受付部１３は、特定年、特定回数、及び、特定曜日の設定を受け付ける（Ｓ９１）。設定受付部１３は、例えば、図１２Ｂに示すように、「年」、「回目」及び「曜日」の設定を受け付ける。図１２Ｂでは、特定年として「１９」が設定され、特定回数として「２」が設定され、かつ、曜日として「水」が設定された例を示している。なお、「１９」、「２」及び「水」は、毎月の特定日を示す情報の一例である。
【００８４】
次に、設定受付部１３は、プログラムの設定を受け付ける（Ｓ９２）。ステップＳ９２の処理は、ステップＳ３２と同様であり、説明を省略する。
【００８５】
これにより、制御部１６は、ユーザによる１回の設定操作により、特定年の毎月の特定回数目の特定曜日（例えば、２０１９年の毎月の第２水曜日）において、プログラムＳＰ１に基づいてスイッチ部１２を制御することができる。
【００８６】
次に、特定年の毎月の最終の特定曜日（特定日の一例）を特別なプログラムＳＰ１に設定する例について説明する。図１３Ａは、本実施の形態に係るタイムスイッチ１０の特定日を設定する動作の第八例を示すフローチャートである。図１３Ｂは、本実施の形態に係る表示部１４に表示される設定画面の第八例を示す図である。
【００８７】
図１３Ａに示すように、設定受付部１３は、特定年、及び、最終の特定曜日の設定を受け付ける（Ｓ１０１）。設定受付部１３は、例えば、図１３Ｂに示すように、「年」、「回目」及び「曜日」の設定を受け付ける。図１３Ｂでは、特定年として「１９」が設定され、最終を示す情報として「Ｌ」が設定され、かつ、曜日として「水」が設定された例を示している。なお、「１９」、「Ｌ」及び「水」は、毎月の特定日を示す情報の一例である。
【００８８】
次に、設定受付部１３は、プログラムの設定を受け付ける（Ｓ１０２）。ステップＳ１０２の処理は、ステップＳ３２と同様であり、説明を省略する。
【００８９】
これにより、制御部１６は、ユーザによる１回の設定操作により、特定年の毎月の最終の特定曜日（例えば、２０１９年の毎月の最終の水曜日）において、プログラムＳＰ１に基づいてスイッチ部１２を制御することができる。
【００９０】
上記の図６Ａ〜図１３Ｂで示したように、例えば、「年月日」のうち「月」の情報が設定されないことで、毎月の特定日において、特別なプログラムＳＰ１を実行することができる。しかしながら、負荷の種類等によっては、特定月においてのみ、プログラムＳＰ１を実行したい場合がある。そこで、以下においては、特定月においてのみ、プログラムＳＰ１を実行するための設定について、図１４Ａ〜図１５Ｂを参照しながら説明する。
【００９１】
まずは、毎年の特定月を特別なプログラムＳＰ１に設定する例について説明する。なお、当該特定月に含まれる日のそれぞれは、特定日の一例である。図１４Ａは、本実施の形態に係るタイムスイッチ１０の特定日を設定する動作の第九例を示すフローチャートである。図１４Ｂは、本実施の形態に係る表示部１４に表示される設定画面の第九例を示す図である。
【００９２】
図１４Ａに示すように、設定受付部１３は、特定月の設定を受け付ける（Ｓ１１１）。設定受付部１３は、例えば、図１４Ｂに示すように、「年月日」のうち「月」の設定を受け付ける。図１４Ｂでは、特定月として「４」が設定された例を示している。
【００９３】
次に、設定受付部１３は、プログラムの設定を受け付ける（Ｓ１１２）。ステップＳ１１２の処理は、ステップＳ３２と同様であり、説明を省略する。
【００９４】
これにより、制御部１６は、ユーザによる１回の設定操作により、毎年の特定月の毎日（例えば、毎年４月の毎日）において、プログラムＳＰ１に基づいてスイッチ部１２を制御することができる。
【００９５】
次に、特定年の特定月を特別なプログラムＳＰ１に設定する例について説明する。なお、当該特定月に含まれる日のそれぞれは、特定日の一例である。図１５Ａは、本実施の形態に係るタイムスイッチ１０の特定日を設定する動作の第十例を示すフローチャートである。図１５Ｂは、本実施の形態に係る表示部１４に表示される設定画面の第十例を示す図である。
【００９６】
図１５Ａに示すように、設定受付部１３は、特定年、及び、特定月の設定を受け付ける（Ｓ１２１）。設定受付部１３は、例えば、図１５Ｂに示すように、「年月日」のうち「年」及び「月」の設定を受け付ける。図１５Ｂでは、特定年として「１９」が設定され、かつ特定月として「４」が設定された例を示している。
【００９７】
次に、設定受付部１３は、プログラムの設定を受け付ける（Ｓ１２２）。ステップＳ１２２の処理は、ステップＳ３２と同様であり、説明を省略する。
【００９８】
これにより、制御部１６は、ユーザによる１回の設定操作により、特定年の特定月の毎日（例えば、２０１９年４月の毎日）において、プログラムＳＰ１に基づいてスイッチ部１２を制御することができる。
【００９９】
また、上記の図６Ａ〜図１３Ｂにおいて、特定日は、月に１日設定される例について説明したが、月に複数日設定されてもよい。図１６は、本実施の形態に係るタイムスイッチの特定日を設定する動作の第十一例を示すフローチャートである。
【０１００】
図１６に示すように、例えば、毎月の第１特定日を特別なプログラム（以降において、第１プログラムとも記載する）に設定した（Ｓ１３１）後に、毎月の第２特定日を特別なプログラム（以降において、第２プログラムとも記載する）に設定する（Ｓ１３２）。このように、特定日の設定を繰り返し実行することで、特定日を月に複数日設定することが可能である。なお、第１特定日と第２特定日とは、同じ月の互いに異なる日である。また、第１プログラムと第２プログラムとは、互いに異なるプログラムである。
【０１０１】
また、ステップＳ１３１及びＳ１３２では、図６Ａ〜図１３Ａに示すフローチャートのいずれかの処理が実行される。なお、ステップＳＳ１３１及びＳ１３２の一方は、図１４Ａ及び図１５Ａのいずれかの処理が実行されてもよい。
【０１０２】
次に、特定回数目の特定曜日の設定方法について、図１７を参照しながら説明する。図１７は、本実施の形態に係るタイムスイッチ１０の特定回数目の特定曜日を設定する動作を説明するための図である。なお、以下では、特定曜日が水曜日である例について説明する。
【０１０３】
図１７の（ａ）は、曜日ボタン１３ｂのうち、水曜日を示す「水」ボタンが１回操作された（押された）ときに表示部１４に表示される設定画面を示す。「回目」には、「１」が表示されている。これは、第１水曜日が特定日であることを意味する。第１水曜日は、その月における最初の水曜日を意味する。
【０１０４】
図１７の（ｂ）は、「水」ボタンがさらに１回操作されたときに表示部１４に表示される設定画面を示す。「回目」には、「２」が表示されている。これは、第２水曜日が特定日であることを意味する。
【０１０５】
図１７の（ｃ）は、「水」ボタンがさらに１回操作されたときに表示部１４に表示される設定画面を示す。「回目」には、「３」が表示されている。これは、第３水曜日が特定日であることを意味する。
【０１０６】
図１７の（ｄ）は、「水」ボタンがさらに１回操作されたときに表示部１４に表示される設定画面を示す。「回目」には、「４」が表示されている。これは、第４水曜日が特定日であることを意味する。
【０１０７】
図１７の（ｅ）は、「水」ボタンがさらに１回操作されたときに表示部１４に表示される設定画面を示す。「回目」には、「５」が表示されている。これは、第５水曜日が特定日であることを意味する。
【０１０８】
図１７の（ｆ）は、「水」ボタンがさらに１回操作されたときに表示部１４に表示される設定画面を示す。「回目」には、「Ｌ」が表示されている。これは、最終の水曜日が特定日であることを意味する。
【０１０９】
このように、ユーザは、曜日ボタン１３ｂを複数回操作することで、毎月において、何回目の水曜日が特定日であるかを設定することができる。また、月によっては、最終の水曜日が第４水曜日である月と、第５水曜日である月とが存在する。そのため、毎月の最終の水曜日を特定日としたいときに、図１７の（ｆ）に示すように、「回目」に「Ｌ」の設定があることで、容易に特定日を設定することができる。
【０１１０】
なお、制御部１６は、「回目」が「Ｌ」に設定されている場合、記憶部１５に記憶されているカレンダーに基づいて、最終の特定曜日を特定可能である。
【０１１１】
また、毎月の末日においても、同様である。ユーザは、例えば、日時ボタン１３ａの「日」に対応するボタンを複数回操作することで、１、２、・・・３１、Ｌと日付の設定を行う。月によっては、最終日が３０日である月と、３１日である月とが存在する。そのため、毎月の末日を特定日としたいときに、「日」に「Ｌ」の設定があることで、容易に特定日を設定することができる。
【０１１２】
［３．効果など］
以上のように、本実施の形態に係るタイムスイッチ１０は、負荷及び電源の電気的な接続をオン及びオフするスイッチ部１２と、スイッチ部１２がオンするオン時刻の設定、及び、スイッチ部１２がオフするオフ時刻の設定を受け付ける設定受付部１３とを備える。設定受付部１３は、所定の期間において実行される第１設定であって、当該所定の期間ごとに繰り返し実行される第１設定、及び、毎月の特定日において実行される第２設定を受け付け、さらに、当該第２設定の受け付けでは、毎月の特定日を示す情報を受け付ける。
【０１１３】
従来であれば、ユーザは、特別なプログラムを動作させる特定日を指定し、指定した特定日ごとにプログラムを設定していた。例えば、ユーザは、毎月の末日のみ特別なプログラムで動作させる場合、毎月の末日ごとにプログラムを設定する必要があった。そのため、特定日が多数ある場合、設定に時間及び手間を要していた。
【０１１４】
一方、本実施の形態に係るタイムスイッチ１０であれば、ユーザは、毎月の特定日を示す情報を、設定受付部１３を介して入力する。例えば、ユーザは、毎月の末日のみ特別なプログラムＳＰ１で動作させる場合、毎月の末日を示す情報を入力する。つまり、ユーザは、１回の設定作業で、毎月の特定日の設定を行うことができる。よって、本実施の形態に係るタイムスイッチ１０によれば、設定を容易に行うことができる。
【０１１５】
また、特定日は、月ごとの末日であってもよい。また、特定日は、月ごとの特定回数目の特定曜日であってもよい。また、特定日は、月ごとの最終の特定曜日であってもよい。
【０１１６】
これにより、上記のような特定日を、容易に設定することができる。また、ユーザは、上記のような特定日の中から、用途等に応じて特定日を適宜決定することができるので、タイムスイッチ１０の利便性が向上する。
【０１１７】
また、所定の期間は、１週間である。設定受付部１３は、曜日ごとに当該曜日に対応した曜日ボタン１３ｂ（操作部の一例）を有し、特定回数目の特定曜日の設定において、特定曜日に対応した曜日ボタン１３ｂにおける、特定回数目に対応した回数の操作を受け付ける。
【０１１８】
これにより、特定回数目の特定曜日（何回目の特定曜日）のうち「特定回数目」を設定するための専用のボタンを備えることなく、特定回数目の特定曜日の設定を行うことができる。つまり、タイムスイッチ１０によれば、部品点数を増加させることなく、特定回数目の特定曜日といった複雑な設定を行うことができる。また、例えば、第１水曜日であれば「水」ボタンを１回、第３水曜日であれば「水」ボタンを３回操作するといったように、何回目の水曜日であるかと、ボタンの操作回数とを一致させることで、ユーザの操作ミスを低減する効果が期待できる。
【０１１９】
また、所定の期間は、１週間である。設定受付部１３は、曜日ごとに当該曜日に対応した曜日ボタン１３ｂ（操作部）を有し、最終の特定曜日の設定において、特定曜日に対応した曜日の対１３ｂにおける所定回数の操作を受け付ける。
【０１２０】
これにより、最終の特定曜日のうちの「最終」を設定するための専用のボタンを備えることなく、最終の特定曜日の設定を行うことができる。つまり、タイムスイッチ１０によれば、部品点数を増加させることなく、最終の特定曜日といった複雑な設定を行うことができる。
【０１２１】
また、設定受付部１３は、さらに、第２設定において設定された動作を実行する特定年の設定を受け付ける。
【０１２２】
これにより、タイムスイッチ１０は、毎年の特定日ではなく、特定年の特定日において、第２設定（特別な設定）で設定された動作を実行することができる。タイムスイッチ１０は、このような特定年の特定日のみといった複雑なスケジュールで第２設定において設定された動作を実行する場合であっても、特定年の特定日ごとに設定を行う必要がないので、さらに設定を容易に行うことができる。
【０１２３】
また、以上のように、本実施の形態に係るタイムスイッチ１０の設定方法はスイッチ部１２がオンするオン時刻の設定、及び、スイッチ部１２がオフするオフ時刻の設定を受け付けるタイムスイッチの設定方法であって、所定の期間ごとに繰り返し実行される第１設定を受け付ける第１設定受付ステップ（Ｓ１２及びＳ１３）と、毎月の特定日において実行される第２設定を受け付ける第２設定受付ステップ（Ｓ１４）とを含む。そして、第２設定受付ステップでは、毎月の特定日を示す情報を受け付ける。
【０１２４】
これにより、上記のタイムスイッチ１０と同様の効果を奏する。
【０１２５】
（その他の実施の形態）
以上、実施の形態について説明したが、本発明は、上記実施の形態に限定されるものではない。
【０１２６】
例えば、上記実施の形態において、タイムスイッチ１０は週間式である例について説明したが、これに限定されない。タイムスイッチ１０は、設定受付部１３を介して設定された動作（オン及びオフ動作）を、所定の期間ごとに繰り返し実行しているものであればよい。タイムスイッチ１０は、例えば、２４時間式、又は年間式であってもよい。
【０１２７】
また、上記実施の形態では、特別なプログラムＳＰ１を毎月の特定日に実行する例について説明したが、毎月実行することに限定されない、制御部１６は、特別なプログラムＳＰ１を奇数月又は偶数月などの所定の月間隔ごとの特定日に特別なプログラムＳＰ１を実行してもよい。この場合、設定受付部１３は、ステップＳ１４において、所定の月間隔を示す情報を取得する。つまり、タイムスイッチ１０の設定受付部１３は、所定の期間において実行される第１設定であって、当該所定の期間ごとに繰り返し実行される第１設定、及び、所定の月間隔ごとの特定日において実行される第２設定を受け付け、さらに、当該第２設定の受け付けでは、所定の月間隔ごとの特定日を示す情報を受け付けてもよい。所定の月間隔ごとの特定日は、例えば、毎年（１２ヶ月）ごとの特定日であってもよい。
【０１２８】
また、上記実施の形態において、特定の処理部が実行する処理を別の処理部が実行してもよい。
【０１２９】
また、上記実施の形態のフローチャートで説明された処理の順序は、一例である。複数の処理の順序は変更されてもよいし、複数の処理は並行して実行されてもよい。例えば、第１設定受付ステップと、第２設定受付ステップとは、順序が入れ替えて実行されてもよいし、並行して実行されてもよい。
【０１３０】
また、上記実施の形態では、設定受付部１３は、所定の期間ごとに繰り返し実行される第１設定、及び、毎月の特定日において繰り返し実行される第２設定を受け付ける例について説明したが、これに限定されない。設定受付部１３は、第１設定及び第２設定のうち、第２のみを受け付けてもよい。言い換えると、タイムスイッチ１０は、毎月の特定日のみ動作するように設定されてもよい。
【０１３１】
また、上記実施の形態において、各構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１３２】
また、各構成要素は、ハードウェアによって実現されてもよい。例えば、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１３３】
また、ブロック図における機能ブロックの分割は一例であり、複数の機能ブロックを１つの機能ブロックとして実現したり、１つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１３４】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、本発明の全般的または具体的な態様は、システム、装置、方法、集積回路、コンピュータプログラム及び記録媒体の任意な組み合わせで実現されてもよい。
【０１３５】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１３６】
１０    タイムスイッチ
１２    スイッチ部
１３    設定受付部
１３ｂ    曜日ボタン（操作部）
【図１】
2020197464.tif 000003
【図２】
2020197464.tif 000004
【図３】
2020197464.tif 000005
【図４Ａ】
2020197464.tif 000006
【図４Ｂ】
2020197464.tif 000007
【図５】
2020197464.tif 000008
【図６Ａ】
2020197464.tif 000009
【図６Ｂ】
2020197464.tif 000010
【図７Ａ】
2020197464.tif 000011
【図７Ｂ】
2020197464.tif 000012
【図８Ａ】
2020197464.tif 000013
【図８Ｂ】
2020197464.tif 000014
【図９Ａ】
2020197464.tif 000015
【図９Ｂ】
2020197464.tif 000016
【図１０Ａ】
2020197464.tif 000017
【図１０Ｂ】
2020197464.tif 000018
【図１１Ａ】
2020197464.tif 000019
【図１１Ｂ】
2020197464.tif 000020
【図１２Ａ】
2020197464.tif 000021
【図１２Ｂ】
2020197464.tif 000022
【図１３Ａ】
2020197464.tif 000023
【図１３Ｂ】
2020197464.tif 000024
【図１４Ａ】
2020197464.tif 000025
【図１４Ｂ】
2020197464.tif 000026
【図１５Ａ】
2020197464.tif 000027
【図１５Ｂ】
2020197464.tif 000028
【図１６】
2020197464.tif 000029
【図１７】
2020197464.tif 000030